(57)【要約】【課題】ランプ口金の誤装着を抑止できるランプソケットを得ることにある。【解決手段】ソケット本体３２は、先端に複数の挿入溝１９が形成された突起部１５を有するランプ口金１３を着脱自在に装着させる。ランプソケット３２本体は、突起部１５が挿入される収納凹部３９を有し、突起部１５を収納凹部３９に収納させた状態でランプ口金１３を所定の方向に回転させて装着させる。回転体３４は、円板状のベース５１、及びこのベース５１の一面に突設されてランプ口金１３の挿入溝１９に挿入される複数のリブ５４を有する。回転体３４は、ベース５１の下面５１ｂを収納凹部３９の底面である下カバー３３の上面３３ａに向けて、この収納凹部３９内に回転自在に収納される。【選択図】    図１
2004172065.tif 000002
【特許請求の範囲】
【請求項１】
先端に複数の挿入溝が形成された突起部を有するランプ口金が着脱自在に装着されるとともに、前記突起部が挿入される収納凹部を有し、前記突起部を前記収納凹部に収納させた状態で前記ランプ口金が所定方向に回転して装着されるソケット本体と、
ベース、及びこのベースの一面に突設されて前記挿入溝に挿入される複数のリブを有し、前記ベースの他面を前記収納凹部の底面に向けてこの収納凹部内に回転自在に収納された回転体と、を具備していることを特徴とするランプソケット。
【請求項２】
前記収納凹部に挿入された前記突起部を反挿入方向に付勢するコイルばねが前記リブに沿って設けられていることを特徴とする請求項１に記載のランプソケット。
【請求項３】
前記収納凹部の底面に、孔部又は突起からなる節度用固定係合部が設けられているとともに、前記回転体の他面に、前記ランプ口金を回転させて前記ソケット本体に装着したときに前記固定係合部と嵌合する突起又は孔部からなる節度用可動係合部が設けられていることを特徴とする請求項２に記載のランプソケット。
【請求項４】
前記リブが先細形状に形成されていることを特徴とする請求項１〜３の内のいずれか１項に記載のランプソケット。
【請求項５】
器具本体と、
先端に複数の挿入溝が形成された突起部を有するランプ口金及びこのランプ口金に取付けられた発光管を有する片口金型ランプと、
前記器具本体に設けられた請求項１〜４の内のいずれか１項に記載のランプソケットと、を具備したことを特徴とする照明器具。
【発明の詳細な説明】
【０００１】
【発明の属する技術分野】
本発明は、片口金型ランプが着脱自在に装着されるランプソケット及びこのランプソケットを備えた照明器具に関する。
【０００２】
【従来の技術】
片口金型蛍光ランプにはＦＨＴランプと称されるものがある。このＦＨＴランプはランプ口金とこのランプ口金に取付けられた３つの略Ｕ字状の管体を連結してなる発光管とを具備している。このＦＨＴランプに具備されるランプ口金は、上面に発光管が付設される基部、基部の下面より突設された断面四角形状の突起部、及び基部から下方へ突設された４本のランプピンを備えている。突起部の側面には係止部が突設されている。
【０００３】
ＦＨＴランプに具備されるランプ口金やこのランプ口金が装着されるランプソケットの形状はＩＥＣ（国際電気標準会議）やＪＩＳ（日本工業規格）において規格化されている。例えば、使用電力が１８ＷのＦＨＴランプが備えるランプ口金はＩＥＣ６００６１のＧＸ２４ｑ−２、使用電力が２４Ｗ及び３２ＷのＦＨＴランプが備えるランプ口金はＩＥＣ６００６１のＧＸ２４ｑ−３、使用電力が４２ＷのＦＨＴランプが備えるランプ口金はＩＥＣのＧＸ２４ｑ−４によって規格化されている（図１５（Ｂ）〜（Ｄ）参照。）。また、ＪＩＳは多くの場合、このＩＥＣの規格を踏襲した形でランプ口金やランプソケットの形状を規格化している。
【０００４】
図１５（Ｂ）〜（Ｄ）に示すように、ＩＥＣの規格では、ＦＨＴランプが具備するランプ口金の外形は略同形状とされている。そのため、使用電力が異なるＦＨＴランプが誤装着されないように、ランプ口金の基部の側面には取付けるＦＨＴランプの使用電力によって夫々異なる位置に誤装着防止用リブが設けられている。これに伴い、ランプソケットの収納凹部の内壁には、装着されるランプ口金の誤装着防止用リブに対応してリブ導入溝が形成されている。これにより、ランプ口金の誤装着防止用リブとランプソケットのリブ導入溝との位置が一致する、すなわち対応する正規の組合せであるランプ口金でなければランプソケットに装着されないようになっている。
【０００５】
ところで、ＦＨＴランプをランプソケットに装着する場合、日本では、ランプ口金をランプソケットに挿入し、その後、ランプソケットに対してランプ口金を回転させることで、ランプ口金をランプソケットに係合させて装着するのが一般的である。ＦＨＴランプが着脱自在に装着されるランプソケットとしては、従来、以下のようなランプソケットが知られている。
【０００６】
ランプソケットはソケット本体とソケットカバーとを備えている。ソケット本体の中央側にはランプ口金の突起部が差し込み可能な収納凹部が設けられている。収納凹部の内壁には突起部に突設された係止部が通る係止部挿入溝が設けられている。収納凹部の周囲にはランプピンが挿入可能なピン挿入孔が形成されている。収納凹部内には係止部と係合して突起部を収納凹部に対して抜け止めをする係止壁が設けられている。
【０００７】
ソケットカバーはランプピンと電気的に接続するランプ端子を支持している。また、ソケットカバーには弾性接触係止バネが回転可能に配置されている。弾性接触係止バネは押し上げバネ部と回転係合部とを備えている。押し上げバネ部は、弾性接触係止バネの底面側よりも収納凹部の開口側へ切り起こされていて、ランプ口金の突起部の先端に弾性接触する。回転係合部は突起部に突設された係止部に対してランプ口金の回転方向に係合する。
【０００８】
このランプソケットは、収納凹部の底面側に弾性接触係止バネが回転可能に配置され、且つ、ピン挿入孔の下側にランプ端子が配置されるようにして、ソケット本体にソケットカバーが取付けられて形成されている。
【０００９】
このランプソケットは、以下のようにしてＦＨＴランプを装着する。まず、ランプピンとピン挿入孔との位置を合わせて突起部を収納凹部に差し込む。このとき、係止部は係止挿入溝を通して弾性接触係止バネの回転係合部に挿入され、ランプピンはピン挿入孔される。突起部を押し上げバネに押し上げた状態でランプ口金をランプソケットに対して回転させると、弾性接触係合バネがランプ口金と同じ方向に回転して係止部を係止壁に導く。この状態でランプ口金から手を離すと、突起部は押し上げバネの弾性力でこの押し上げバネから離れる方向に付勢される。これにより、係止部が係止壁に押し当てられて係止部が収納凹部から抜け止めされ、同時に、ランプピンがランプ端子と電気的に接続される（例えば、特許文献１参照。）。
【００１０】
また、ＦＨＴランプが着脱自在に装着されるランプソケットとしては、この他に、ソケット本体、係合手段、及び発音手段を備えたものが知られている。
【００１１】
ソケット本体は、着脱自在に装着されるランプ口金を保持するものであり、中央部にランプ口金の突台部が収納される収納凹部が設けられている。収納凹部の内壁には、ランプ口金の突台部に突設された係止凸部が導入される突部導入溝縦溝と、この突部導入縦溝の下端から横方向に連続する突部係合横溝とが設けられている。
【００１２】
係合手段は、この収納凹部の内壁に形成された凹凸係合部と、この凹凸係合部に係合する係合突起を有してソケット本体に対してランプ口金とともに回転する回転係合ばねとにより構成されている。この回転係合ばねは、弾性を有する金属板を加工して形成されていて、ソケット本体の収納凹部内に配設されている。
【００１３】
発音手段は、ランプ口金に設けられた誤装着防止用リブと、正規の組合せではないランプ口金をランプソケットに対して所定方向に回転させたときに誤装着防止用リブと干渉してこのランプ口金が装着されるのを防止する一対の保護壁と、誤装着防止用リブで略反転動作させられる反転ばねとにより構成されている。反転ばねは、金属板により矩形状に形成されており、長手方向の一端部には両側に切り込みが入れられ且つ長手方向に延伸された動作片が設けられている。この反転ばねは動作片がソケット本体の上面側に突出するようにして突部導入溝縦内に設けられている。
【００１４】
このランプソケットは、以下のようにしてランプを装着する。正規の組合せのランプ口金を備えるランプの場合、誤装着防止用リブは一対の保護壁の端部間に位置する。そして、ランプ口金をランプソケットに対して回転させると、誤装着防止用リブが反転ばねの動作片を押す。動作片が回転はねの死線を越えて反転動作し、反転ばねが突部導入縦溝の側面に衝突して衝突音を発する。また、このように、ランプ口金をランプソケットに対して所定方向に回転させることで、凹凸係合部と回転係合ばねとが係合し、ランプソケットにランプ口金が固定される。（例えば、特許文献２参照。）。
【００１５】
【特許文献１】
特開平９−１８５９７９号公報（段落００１３〜段落００２１、図１）
【００１６】
【特許文献２】
特開平９−１８５９７８号公報（段落００１３〜段落００２０，段落００２６〜段落００２７、図１，図１１〜図１３）
【００１７】
【発明が解決しようとする課題】
ところで、近年、高照度のＦＨＴランプの需要の高まりから５７Ｗや７５Ｗといった使用電力の大きいＦＨＴランプが開発され、これに伴い、ランプ口金の基部の側面といった限られた領域内では夫々異なる位置に誤装着防止用リブを設けることが困難となった。そのため、少なくとも使用電力の小さいＦＨＴランプが使用電力の大きいＦＨＴランプに対応するランプソケットに誤装着されないようにランプ口金を規格化する必要が生じた。これは、使用電力の大さいＦＨＴランプが使用電力の小さいＦＨＴランプに対応するランプソケットに誤装着された場合は点灯しないので、誤装着に気づき易くしかも発熱したりＦＨＴランプを破損させたりする等のおそれは無いが、使用電力の小さいＦＨＴランプが使用電力の大きいＦＨＴランプに対応するランプソケットに誤装着されると発熱したりＦＨＴランプを破損させたりする等のおそれがあるためである。
【００１８】
そこで、ＩＥＣでは、使用電力が５７ＷのＦＨＴランプが備えるランプ口金を、ＩＥＣのＧＸ２４ｑ−１で規格化されているランプ口金の突起部の先端に一対の断面円弧状の挿入溝を設けることで、ＩＥＣのＧＸ２４ｑ−５として規格化した（図１５（Ｅ）。）。同様に、使用電力が７５ＷのＦＨＴランプが備えるランプ口金を、ＩＥＣのＧＸ２４ｑ−２で規格化されているランプ口金の突起部の先端に一対の断面円弧状の挿入溝を設けることで、ＩＥＣのＧＸ２４ｑ−６として規格化した（図１５（Ｆ）参照。）。そして、これに伴い、ランプソケットの収納凹部の底面にランプ口金の突起部に設けられた挿入溝に挿入されるリブを設けるようにした。
【００１９】
これにより、例えば、使用電力が１８ＷのＦＨＴランプが備えるランプ口金が使用電力が７５ＷのＦＨＴランプを装着させるランプソケットに誤装着されることを抑制できる。このような背景から、今後、日本でも、収納凹部の底面にリブを設けたランプソケットの需要の高まりが予想される。
【００２０】
しかし、上述のように、日本では、ＦＨＴランプをランプソケットに対して回転させることでランプ口金をランプソケットに係合させて装着するのが一般的である。特許文献１の技術では収納凹部の内底部に押し上げバネが設けられており、特許文献２の技術では収納凹部の底面に回転係止ばねが設けられている。そのため、特許文献１の技術や特許文献２の技術では、ＦＨＴランプをランプソケットに対して回転させても破損しないリブを収納凹部の底面に設けることは困難である。
【００２１】
本発明が解決しようとする課題は、ランプ口金の誤装着を抑止できるランプソケット、及びこのランプソケットを備えた照明器具を得ることにある。
【００２２】
【課題を解決するための手段】
請求項１に係る発明のランプソケットは、先端に複数の挿入溝が形成された突起部を有するランプ口金が着脱自在に装着されるとともに、前記突起部が挿入される収納凹部を有し、前記突起部を前記収納凹部に収納させた状態で前記ランプ口金が所定方向に回転して装着されるソケット本体と、ベース及びこのベースの一面に突設されて前記挿入溝に挿入される複数のリブを有し、前記ベースの他面を前記収納凹部の底面に向けてこの収納凹部内に回転自在に収納された回転体と、を具備していることを特徴とする。
【００２３】
本発明及び以下の各発明において、特に指定しない限り用語の定義及び技術的意味は以下の通りである。
【００２４】
リブの数は挿入溝の数に合わせて形成すればよく、１つであっても複数であってもよい。この発明のランプソケットは、例えば、ＩＥＣのＧＸ２４ｑ−５、ＩＥＣのＧＸ２４ｑ−６、或いはＩＥＣのＧＸ２４ｑ−７で規格化されたランプ口金（図１５（Ｅ）〜（Ｇ）を着脱自在に装着させるランプソケットとして好適に用いることができる。これらの口金を着脱自在に装着させる場合、リブはこれらの規格化された口金の挿入溝に挿入されるように、円弧状に２つ形成すればよい。
【００２５】
回転体は、例えば板状好ましくは略円板状のベースの一面に複数のリブを設けることで形成することができる。この回転体は、例えば、ベースの中心に丸孔を開けるとともに、収納凹部の底面に前記丸孔を通過してこのベースを回転自在に支持する爪部を設けることで実施することができる。
【００２６】
請求項１の発明のランプソケットによれば、ランプ口金の突起部に設けられた挿入溝に挿入されるリブを有する回転体が収納凹部内に回転自在に収納されているため、突起部の先端に挿入溝が形成されていないランプ口金の誤装着を抑止できる。しかも、リブは回転体とともに回転自在であるため、ランプ口金をランプソケットに対して回転させることによるリブの破損を抑制できる。
【００２７】
請求項２に係る発明のランプソケットは、前記収納凹部に挿入された前記突起部を反挿入方向に付勢するコイルばねが前記リブに沿って設けられていることを特徴とする。
【００２８】
請求項２に係る発明では、コイルばねは、回転体から不用意に外れず、しかも弾性力を発現できる程度の締め圧となるように、リブの内面或いは外面に沿わせるように圧入するのが好ましい。
【００２９】
請求項２の発明のランプソケットによれば、リブに沿って設けられたコイルばねが収納凹部に挿入された突起部を反挿入方向に付勢するので、装着後の蛍光ランプのがたつきを抑制することができる。
【００３０】
請求項３に係る発明のランプソケットは、前記収納凹部の底面に、孔部又は突起からなる節度用固定係合部が設けられているとともに、前記回転体の他面に、前記ランプ口金を回転させて前記ソケット本体に装着したときに前記固定係合部と嵌合する突起又は孔部からなる節度用可動係合部が設けられていることを特徴とする
請求項３に係る発明では、節度用固定係合部及び節度用可動係合部の数は１つであっても複数であってもよい。
【００３１】
請求項３の発明のランプソケットでは、リブに沿って設けられたコイルばねが収納凹部に挿入された突起部を反挿入方向に付勢するだけでなく回転体を収納凹部の底面側に付勢する。そのため、ランプ口金がランプソケットに正しく装着される位置までランプ口金をソケット本体に対して回転させると、固定係合部に可動係合部が嵌合して発音する。
【００３２】
したがって、請求項３の発明のランプソケットによれば、ランプ口金がランプソケットに正しく装着されたことを容易に知ることができるので、蛍光ランプの不完全な装着を抑制することができる。
【００３３】
請求項４に係る発明のランプソケットは、前記リブが先細形状に形成されていることを特徴とする。
【００３４】
請求項４の発明では、リブは、幅方向の中心に向かって先細となる形状や、幅方向の中心からずれた位置に向かって先細となる形状に形成してもよい。また、リブは、ランプを装着するの回転方向の回転の進行側である幅方向一端側が最も高く、進行側とは反対側である幅方向他端側に向かうに従って高さが低くなるように傾斜させてもよい。
【００３５】
請求項４の発明のランプソケットによれば、例えば、ランプソケットの収納凹部にランプ口金の突起部を収納させた際にリブの幅方向の中心位置が挿入溝の幅方向の中心位置からずれていても、先細形状のリブの先端は挿入溝の中心から一端側或いは他端側の何れかにずれた位置に挿入される。そして、突起部を収納凹部に挿入していくと、挿入溝の一方の側壁がリブの一方の側壁を押しながら、回転体をリブの中心位置と挿入溝の中心位置とが一致する状態まで回転させる。
【００３６】
したがって、請求項４の発明のランプソケットによれば、ランプソケットの収納凹部にランプ口金の突起部を収納させた際にリブの中心位置と挿入溝の中心位置とにずれがあっても、ランプ口金をランプソケットに容易に装着することができる。
【００３７】
請求項５に係る発明の照明器具は、器具本体と、先端に複数の挿入溝が形成された突起部を有するランプ口金及びこのランプ口金に取付けられた発光管を有する片口金型ランプと、前記器具本体に設けられた請求項１〜４の内のいずれか１項に記載のランプソケットと、を具備したことを特徴とする。
【００３８】
器具本体は、新設のものであっても既設のものであってもよい。また、器具本体は、ダウンライト等の埋込器具や直付器具等であってもよい。
【００３９】
請求項５の発明の照明器具によれば、請求項１〜４の内のいずれか１項に記載のランプソケットを具備しているため、このソケットランプが対応する使用電力の片口金型ランプとは異なる使用電力の片口金型ランプが誤装着されるのを抑制できる照明器具が得られる。
【００４０】
【発明の実施の形態】
以下、図１〜図７を参照して本発明の第１の実施形態を説明する。
【００４１】
本実施形態では、例えば、図１５（Ｆ）に示すランプ口金１３が取付けられた使用電力が７５ＷのＦＨＴランプ１０が着脱自在に装着されるランプソケット３０ａを例にとって説明する。
【００４２】
ＦＨＴランプ（以下、単にランプと言う）１０は、図１及び図２等に示すように、ランプ口金１３とこのランプ口金１３に取付けられた発光管１１とを備えている。発光管１１は、３つの略Ｕ字状の管体１２を連結してなる。ランプ口金１３は、基部１４、突起部１５、及びランプピン１６等を備えている。
【００４３】
基部１４は、例えば略円筒状に形成されていて、その上面１４ａ（図１において上側）には発光管１１が取付けられている。基部１４の下面１４ｂ（図１において下側）には凸部１７が突設されている。凸部１７は、例えば断面四角形状に形成されていて、後述するランプソケット３０ａの回転部材３１の嵌合凹部３１ａと嵌合する。この凸部１７の対向する一対の側面には誤装着防止用リブ１８が突設されている。
【００４４】
ところで、このランプ１０は使用電力が７５Ｗのものであるため、ランプ口金１３としては図１５（Ｆ）に示す使用電力が７５Ｗ用のランプ口金１３が具備されている。したがって、誤装着防止用リブ１８は、凸部１７の対向する一対の側面（図１５（Ｆ）において上下方向の一対の側面）の内の一方の側面（図１５（Ｆ）において上側の側面）の中央部よりも一端側（図１５（Ｆ）において右側）にずれた位置と他方の側面（図１５（Ｆ）において下側の側面）の中央部よりも他端側（図１５（Ｆ）において左側）にずれた位置とに設けられている。
【００４５】
突起部１５は凸部１７の端面に突設されている。この突起部１５は、例えば断面四角形状に形成されていて、その先端面１５ａには円弧状の一対の挿入溝１９が形成されている。
【００４６】
突起部１５の一対の側面には一対の係止部３０が夫々突設されている。この係止部３０は、突起部１５の先端側に向かうに従ってこの突起部１５の側面に近づくように傾斜していて、その側面は略三角形状となっている。複数本、例えば２対４本のランプピン１６は突起部１５の周囲に設けられている。これらランプピン１６は基部１４の下面から下方に向かって突出している。
【００４７】
次に、ランプソケット３０ａについて説明する。このランプソケット３０ａは、ランプ１０を挿入し、その後、このランプ１０をランプソケット３０ａに対して図５及び図６において正面から見て右回り（図１において上側から見て右回り）に角度θ１だけ回転させることでランプが着脱自在に装着されるように形成されている。
【００４８】
ランプソケット３０ａは、図１〜図４等に示すように、回転部材３１、ソケット本体３２、下カバー３３、回転体３４、及びコイルばね３５等を具備している。回転部材３１、ソケット本体３２、下カバー３３、及び回転体３４は合成樹脂等により夫々形成されている。なお、図２及び図３ではコイルばね３５を省略して示している。
【００４９】
回転部材３１の内部には、ランプ口金１３の凸部１７が嵌合する嵌合凹部３１ａが形成されている。回転部材３１の内壁には、凸部１７を嵌合させたときに誤装着防止用リブ１８が導入されるリブ導入溝３６が形成されている。
【００５０】
回転部材３１の底部３１ｂの略中央部には、ランプ口金１３の突起部１５及びこの突起部１５に設けられている係止部３０が貫通する突起部貫通孔３７が開けられている。また、回転部材３１の底部３１ｂには、突起部貫通孔３７の周囲に位置して、ランプピン１６が貫通する４つの円形状のピン貫通孔３１ｃが開けられている。回転部材３１の底部３１ｂの外面周縁部からは、図示しないが、一対の取付け爪が下方向に延びている。
【００５１】
ソケット本体３２は、ランプ口金１３の突起部１５が挿入される収納凹部３９を有し、突起部１５を収納凹部３９に収納させた状態でランプ口金１３を図５において右回りに角度θ１だけ回転させることで、このランプ口金１３を着脱自在に装着させるように形成されている。
【００５２】
ソケット本体３２は断面略円形状に形成されている。ソケット本体３２の略中央部には、ランプ口金１３の突起部１５が収納される収納凹部３９が形成されている。収納凹部３９は、図３等に示すように、ランプ口金１３をランプソケット３０ａに挿入した状態でこのランプソケット３０ａに対して図５において右回りに角度θ１回転させたときに、ランプ口金１３とともに図５において右回りに角度θ１だけ回転する突起部１５の回転を妨げない形状に形成されている。
【００５３】
この収納凹部３９の内壁には、ランプ口金１３の突起部１５の側面に突設された一対の係止部３０が夫々導入されて案内される一対の係止部導入溝４０が形成されている。図５〜図７に示すように、これら係止部導入溝４０には、ランプ口金１３をランプソケット３０ａに対して図５おいて右回りに角度θ１回転させたときに、ランプ口金１３の係止部３０が係合する係止凸部４１が設けられている。なお、図１及び図２では、係止凸部４１を省略して示している。
【００５４】
ソケット本体３２の上部３２ａには、ランプ口金１３が備えるランプピン１６に対応させて４つのピン挿入孔３８が開けられている。これらのピン挿入孔３８は、ランプ口金１３をランプソケット３０ａに挿入した状態でこのランプソケット３０ａに対して図５において右回りに角度θ１回転させたときに、ランプ口金１３とともに図５において右回りに角度θ１だけ回転するランプピン１６の回転を妨げないように円弧状に形成されている（図５参照）。
【００５５】
ソケット本体３２内には、図示しないが、ピン挿入孔３８の下側に位置して、端子収容部が設けられている。この端子収容部には、ランプピン１６と点灯装置（図８参照）とを電気的に接続するための端子が収容されている。これらの端子は、ランプピン１６をピン挿入孔３８に挿入させた状態では電気的に接続せず、ランプ口金１３をランプソケット３０ａに対して図５において右回りに角度θ１だけ回転させたときにランプピン１６と電気的に接続するように設けられている。
【００５６】
また、ランプソケット３２の上部３２ａには、図示しないが、回転部材３１に設けられた一対の取付け爪が係合する一対の回転部材取付け孔が形成されている。これら回転部材取付け孔は、後述するように回転部材３１がランプ口金１３とともに図５において右回りに角度θ１だけ回転できるように円弧状に形成されている。また、ランプソケット３２の下部３２ｂには、図示しないが、下カバー３３に設けられた一対の取付け爪が係合する一対の取付け孔が形成されている。
【００５７】
下カバー３３は略円板状に形成されている。下カバー３３の上面３３ａからは、後述する回転体３４のベース５１の丸孔５２に差し込まれてこのベース５１を回転自在に支持する爪部３３ｃが設けられている。また、下カバー３３の周部には点灯装置３（図８参照）から延出する電線４を貫通させて支持する貫通孔４２が開けられている。電線４の先端には電極４ａが設けられている。電線４の先端の電極４ａは、ソケット本体３２に下カバー３３を取付けることで、ソケット本体３２内に収容されている端子と電気的に接続する。下カバー３３の上面３３ａの外面周縁部からは、図示しないが、一対の取付け爪が上方向に延びている。
【００５８】
回転体３４は、略円板状のベース５１及び一対のリブ５４を有している。ベース５１の中央部には丸孔５２が開けられている。一対のリブ５４は、ベース５１の上面５１ａに突設されている。これらのリブ５４は、ランプ口金１３の挿入溝１９に挿入可能なように断面円弧状に形成されている。
【００５９】
コイルばね３５は、収納凹部３９に挿入される突起部２５を反挿入方向である上方向に付勢するものであり、一対のリブ５４の外面に沿って設けられている。このコイルばね３５は、回転体３４から不用意に外れず、しかも弾性力を発現できる程度の締め圧となるように、リブ５４の内面或いは外面に沿わせるように圧入するのが好ましい。
【００６０】
ランプソケット３０ａは、以下のようにして組立てられている。
まず、ソケット本体３２に回転部材３１と下カバー３３とを取付けてソケット本体３２を組立てる。回転部材３１の底部３１ｂの外面周縁部に設けられた一対の取付け爪をソケット本体３２の上部３２ａに設けられた一対の取付け孔に係合させて、回転部材３１をソケット本体３２に取付ける。このとき、回転部材３１はソケット本体３２に対して角度θ１の範囲内で回転可能に取付けられる。また、下カバー３３の上面３３ａに設けられた一対の取付け爪をソケット本体３２の下部３２ｂに設けられた一対の取付け孔に係合させて、下カバー３３をソケット本体３２に固定する。これにより、下カバー３３に支持された電線４の先端の電極４ａがソケット本体３２内に収容された端子と電気的に接続する。
【００６１】
次に、ベース５１の下面５１ｂを収納凹部３９の底面となる下カバー３３の上面３３ａに対向させ、下カバー３３に設けられた爪部３３ｃをベース５１の丸孔５２に差し込むことで、回転体３４を収納凹部３９内に収納するとともに回転体３４を回転自在に支持する。コイルばね３５をリブ５４の外側に圧入することで、このコイルばね３５をリブ５４の外面に沿うように取付ける。以上のようにして、ソケット本体３２は組立てられている。
【００６２】
また、このランプソケット３０ａには、以下のようにしてランプ１０が装着される。
【００６３】
ソケット本体３２及び下カバー３３は固定されているものとして考える。ランプソケット３０ａからランプ１０を取外した状態、すなわち、ランプソケット３０ａにランプ１０を装着する前の状態では、回転３１はソケット本体３２に対して図５において左回りに角度θ１だけずれており、回転体３４はソケット本体３２に対して図５において左回りに角度θ１だけずれている。
【００６４】
ランプ１０をソケット本体３２に対して図５において左回りに角度θ１だけ傾け、ランプ口金１３の誤装着防止用リブ１８の位置とランプソケット３０ａのリブ導入溝３６の位置とを合わせる。ランプ口金１３をランプソケット３０ａに差し込んでいくと、突起部１５及び係止部３０は回転部材３１の突起部貫通孔３７を貫通し、係止部３０が係止部導入溝４０に導入されて案内されながら突起部１５が収納凹部３９に収納される。また、ランプピン１６は回転部材３１のピン貫通孔３１ｃ及びソケット本体３２のピン挿入孔３８を貫通して端子収容部に挿入される。
【００６５】
さらに、ランプ口金１３をランプソケット３０ａに差し込むと、突起部１５の挿入溝１９に回転体３４のリブ５４が嵌合する。このとき、突起部１５の先端面１５ａはコイルばね３５を押しているのでコイルばね３５は縮んだ状態となっている。なお、この時点では、係止部３０は係止凸部４１には係合しておらず、ランプピン１６は端子と電気的に接続されていない。
【００６６】
突起部１５の先端面１５ａでコイルばね３５を押しながら、ランプ口金１３をソケット本体３２に対して図５において右回りに角度θ１だけ回転させる。このランプ口金１３の回転に伴って、外カバー及び回転体３４は図５において右回りに角度θ１だけ回転し、図６に示すように係止部３０が係止凸部４１と重なるようになる。この状態でランプ口金１３を押えている力を解放すると、図７に示すように、コイルばね３５の弾性力によってランプ口金１３は反挿入方向である上方向に付勢されるので、係止部２０は係止凸部４１に押し当てられる。これにより、ランプ口金１３がランプソケット３０ａに係止されるとともにランプピン１６が端子と電気的に接続される。同時に、コイルばね３５の弾性によって回転体３４が下方向に付勢されるので、この回転体３４は下カバー３３に押し当てられて回転が抑制される。以上により、ランプ１０はランプソケット３０ａに装着される。なお、ランプ１０をランプソケット３０ａから取外す場合はこれと逆の操作をすればよい。
【００６７】
上述のように、このランプソケット３０ａによれば、ランプ口金１３の突起部１５に設けられた挿入溝１９に挿入されるリブ５４を有する回転体３４が収納凹部３９内に回転自在に収納されているため、突起部１５の先端面１５ａに円弧状の挿入溝１９が形成されていない使用電力が１８ワットのランプ１０が備えるランプ口金１３（図１３（Ｂ）参照）の誤装着を抑止できる。しかも、リブ５４は回転体３４とともに回転自在であるため、ランプ口金１３をランプソケット３０ａに対して回転させることによるリブ５４の破損を抑制できる。
【００６８】
また、リブ５４の外面に沿わせてコイルばね３５が設けているので、このコイルばね３５の弾性力によりランプ口金１３を上方向に付勢することができる。したがって、このランプ口金１３に設けられた係止部３０が係止凸部４１に押し当てられるようにして係止されるので、装着後の蛍光ランプ１０のがたつきを抑制することができる。
【００６９】
このランプソケット３０ａは、例えば、図８に例示する照明器具１に用いることができる。
【００７０】
この照明器具１は、例えば反射笠付きの照明器具であって、図８に示すように、反射笠を有する器具本体、ランプ１０、ランプソケット３０ａ、及び点灯装置等を備えている。
【００７１】
直付器具である器具本体の長手方向の一端部には、上述したランプソケット３０ａが取付けられている。反射笠は例えば板金製である。この反射笠は下面が開放していて内面はソケット取付け台とは反対側の端部に向かってランプ１０の発光管１１に近づくように湾曲している。
【００７２】
この照明器具１は、ランプ１０が備えるランプ口金１３をランプソケット３０ａに挿入し、その後、ランプ１０をランプソケット３０ａに対して回転させることで、ランプ１０を着脱自在に装着するように形成されている。また、この照明器具１では、ランプ１０をランプソケット３０ａに装着することでランプ１０と点灯装置とが電気的に接続されてランプ１０が点灯するようになっている。
【００７３】
ところで、ランプ口金１３をランプソケット３０ａに押し込んで嵌合或いは係合させる照明器具では、ランプ１０を取外す際にある程度力をいれてランプ１０をランプソケット３０ａから引抜かなければならない。
【００７４】
そのため、本実施形態のように、内面がソケット取付け台とは反対側の端部に向かってランプ１０に近づくように湾曲している反射笠等を備えると、ランプ１０を取外す際に反射笠にランプ１０が当たって、ランプ１０或いは反射笠を破損させるおそれがある。
【００７５】
この照明器具１によれば、ランプ口金１３をランプソケット３０ａに挿入し、その後、ランプ１０をランプソケット３０ａに対して回転させることでランプ１０を装着するものであるため、ランプ１０をランプソケット３０ａに対して装着時とは逆方向に回転させるだけで係合が外れる。したがって、ランプ１０を取外す際に過大に力をいれてランプ１０を引抜く必要がなく、ランプ１０や反射笠の破損を抑制できる。
【００７６】
また、この照明器具１は、上述したランプソケット３０ａを具備しているため、このランプソケット３０ａが対応する使用電力のランプ１０とは異なる使用電力のランプの誤装着を抑制できる。
【００７７】
なお、この照明器具１が備えるランプソケット３０ａは、本実施形態のランプソケット３０ａに限定されるものではない。この照明器具１が備えるソケットとしては、例えば、後述する第２の実施形態のランプソケット３０ｂを用いてもよい。
【００７８】
また、本発明の照明器具は、上述した照明器具１に限定されるものではなく、種々の照明器具に適用することができる。
【００７９】
以下、図９〜図１２を参照して本発明の第２の実施形態を説明する。
【００８０】
この実施形態は、基本的には第１の実施形態と同様な構成であるので、同一ないし同様な構成については第１の実施形態と同符号を付して、その構成及び作用の説明を省略し、以下、異なる部分について説明する。
【００８１】
このランプソケット３０ｂは、ランプ１０を挿入し、その後、このランプ１０をランプソケット３０ｂに対して図９（Ａ）〜図１２（Ａ）において右回り（ランプソケット３０ｂを上から見て右回り）にθ１だけ回転させることでランプ１０が装着されるように形成されている。
【００８２】
収納凹部３９の底面となる下カバー３３の上面３３ａには、例えば孔部からなる節度用固定係合部５５が設けられている。固定係合部５５は、例えは半球形状に形成されている。一方、回転体３４のベース５１の下面５１ｂには、ランプ口金１３をソケット本体３２に装着したときに前記固定係合部５５と嵌合する突起からなる節度用可動係合部５６が設けられている。なお、固定係合部５５として突起を設けるとともに可動係合部５６として突起からなる固定係合部５５と嵌合する孔部を設けてもよい。
【００８３】
リブ５４は先細形状に形成されている。このリブ５４は、図９（Ｂ）〜図１１（ｂ）に示すように、ランプ１０を装着させる方向（図１１（Ａ）〜図１３（Ａ）において右回り）に回転させたときの進行側である幅方向一端側５４ａが最も高く、進行側とは反対側である幅方向他端側５４ｂに向かうに従って高さが低くなるように傾斜している。
【００８４】
回転体３４のベース５１の周縁には、一対の切り欠き部５７が形成されている。また、収納凹部３９の内壁には内側に向かって突出する回転角度規制凸部５８が形成されている。この回転角度規制凸部５８は。回転体３４を収納凹部３９内に収納したときにベース５１に設けた切り欠き部５７に入り込むように形成されている。そして、回転角度規制凸部５８は切り欠き部５７の端面に当接して、この回転体３４の回転可能角度を角度θ２の範囲内に規制している。この角度θ２は、ランプ１０をランプソケット３０ｂに装着するときにランプソケット３０ｂに対して回転させる角度θ１と等しい或いは角度θ１よりも大きく設定するのが好ましい。
【００８５】
この実施形態では、角度θ２は円弧状の挿入溝１９に対する中心角と等しく設定している。そして、回転体３４の切り欠き部５７は、ランプ１０をランプソケット３０ｂに差し込んだときにリブ５４の先端の位置が挿入溝１９と必ず対向する位置に形成されている。なお、以上説明した構成以外は、図９〜図１４に示されない構成も含めて第１の実施形態と同一ないし同様である。
【００８６】
また、このランプソケット３０ｂには、以下のようにしてランプ１０が装着される。
【００８７】
ソケット本体３２及び下カバー３３は固定されているものとして考える。ランプソケット３０ｂからランプ１０を取外した状態、すなわち、ランプソケット３０ｂにランプ１０を装着する前の状態では、回転部材３１はソケット本体３２に対して図９（Ａ）において左回りに角度θ１だけずれている。回転体３４はソケット本体３２に対して図９（ａ）において左回りに最大で角度θ２だけずれている。
【００８８】
回転体３４がソケット本体３２に対して図９（ａ）において左回りに角度θ２だけずれている場合を考える。ランプ１０をソケット本体３２に対して図９（ａ）において左回りに角度θ１だけ傾け、ランプ口金１３の誤装着防止用リブ１８の位置とランプソケット３０ｂのリブ導入溝３６の位置とを合わせる。ランプ口金１３をランプソケット３０ｂに差し込んでいくと、突起部１５及び係止部３０は回転部材３１の突起部貫通孔３７を貫通し、係止部３０が係止部導入溝４０に導入されて案内されながら突起部１５が収納凹部３９に収納される。また、ランプピン１６は回転部材３３のピン貫通孔３１ｃ及びソケット本体３２のピン挿入孔３８を貫通して端子収容部に挿入される。このとき、回転体３４のリブ５４の先端は、挿入溝１９の回転の進行側とは反対側である幅方向の端側と対向する（図９（Ａ）（Ｂ）参照）。
【００８９】
さらに、ランプ口金１３をランプソケット３０ｂに差し込むと、先細形状のリブ５４の先端は挿入溝１９の回転の進行側とは反対側である幅方向の端側に挿入される。そして、挿入溝１９の一方の側壁がリブ５４の一方の側壁を押しながら、回転体３４をリブ５４の中心位置と挿入溝１９の中心位置とが一致する状態まで回転させるので、回転体３４のリブ５４は突起部１５の挿入溝１９に良好に嵌合される（図１０（Ａ）（Ｂ）参照）。
【００９０】
突起部１５の先端面１５ａでコイルばね３５を押しながら、ランプ口金１３をソケット本体３２に対して図１０（Ａ）において右回りに角度θ１だけ回転させる。このランプ口金１３の回転に伴って、回転部材３１及び回転体３４は図１０（Ａ）において右回りに角度θ１だけ回転する。これにより、図１１（Ａ）に示すように、係止部３０が係止凸部４１と重なるようになる。
【００９１】
このとき、回転体３４は、リブ５４の外面に沿わせて設けたコイルばね３５の弾性によって下方向に付勢されているので、ランプ口金１３がランプソケット３０ｂに正しく装着される位置、すなわち、ランプ口金１３をソケット本体３２に対して角度θ１だけ回転させると、下カバー３３の上面に設けた固定係合部５５と回転体３４の下面に設けた可動係合部５６とが嵌合して発音するので節度が得られる。節度が得られた状態で、この状態でランプ口金１３を押えている力を解放すると、コイルばね３５の弾性力によってランプ口金１３は上方向に付勢されるので、このランプ口金１３に設けられた係止部２０は係止凸部４１に押し当てられる。これにより、ランプ口金１３がランプソケット３０ｂに固定されるとともにランプピン１６が端子と電気的に接続される。同時に、コイルばね３５の弾性によって回転体３４が下方向に付勢されるので、この回転体３４は下カバー３３に押し当てられる。これにより、回転体３４の回転は抑制される。以上により、ランプ１０はランプソケット３０ｂに装着される。なお、ランプ１０をランプソケット３０ｂから取外す場合はこれと逆の操作をすればよい。
【００９２】
以上のように、このランプソケット３０ｂによれば、第１の実施形態と同様の効果が得られる。
【００９３】
また、このランプソケット３０ｂでは、収納凹部３９に挿入された突起部１５を反挿入方向に付勢するコイルばね３５がリブ５４に沿って設けられており、このコイルばね３５が回転体３４を下カバー３３側である下方向に付勢している。そのため、ランプ口金１３がランプソケット３０ｂに正しく装着される位置までランプ口金１３をソケット本体３２に対して回転させると、収納凹部３９の底面である下カバー３３の上面に設けられた固定係合部５５と回転体３４の下面に設けられた可動係合部５６とが嵌合して節度が得られる。したがって、ランプ口金１３がランプソケット３０ｂに正しく装着されたことを容易に知ることができるので、ランプ１０の不完全な装着を抑制することができる。
【００９４】
さらに、このランプソケット３０ｂでは、リブ５４が先細形状に形成されているので、ランプソケット３０ｂの収納凹部３９にランプ口金１３の突起部１５を収納させる際にリブ５４の中心位置と挿入溝１９の中心位置とがずれていても、ランプ口金１３をランプソケット３０ｂに容易に装着することができる。
【００９５】
なお、本発明のランプソケットは、ＦＨＴランプ１０に限らず、種々の片口金型ランプを装着するランプソケットに広く適用することができる。
【００９６】
【発明の効果】
請求項１に係る発明によれば、ランプ口金の突起部に設けられた挿入溝に挿入されるリブを有する回転体が収納凹部内に回転自在に収納されているため、突起部の先端に挿入溝が形成されていないランプ口金の誤装着を抑止できる。
【００９７】
請求項２に係る発明によれば、リブに沿って設けられたコイルばねが収納凹部に挿入された突起部を反挿入方向に付勢するため、装着後の蛍光ランプのがたつきを抑制できる。
【００９８】
請求項３に係る発明によれば、ランプ口金がランプソケットに正しく装着されたときに固定係合部と可動係合部とが嵌合して節度を得るので、蛍光ランプの不完全な装着を抑制できる。
【００９９】
請求項４の発明によれば、ランプソケットの収納凹部にランプ口金の突起部を収納させる際にリブの中心位置と挿入溝の中心位置とにずれがあっても、ランプ口金をランプソケットに容易に装着することができる。
【０１００】
請求項５に係る発明によれば、請求項１〜４の内のいずれか１項に記載のランプソケットを備えるので、異なる使用電力の片口金型ランプの誤装着を抑制できる照明器具が得られる。
【図面の簡単な説明】
【図１】本発明の第１の実施形態に係るランプソケット及びこのランプソケットに装着される蛍光ランプを示す分解斜視図。
【図２】図１のランプソケット及びこのランプソケットに装着される蛍光ランプを示す斜視図。
【図３】図１のランプソケットの収納凹部にランプ口金の突起部が収納された状態におけるランプソケットとランプ口金との位置関係を示す正面図。
【図４】図１のランプソケットを収納凹部の開口側から見た正面図。
【図５】図１のランプソケットが備える回転体のリブがランプ口金の挿入溝に挿入された状態を示す断面図。
【図６】図１のランプソケットにランプ口金が装着された状態におけるランプソケットとランプ口金との位置関係を示す正面図。
【図７】図１のランプソケットに蛍光ランプを装着した状態を一部切り欠いて示す側面図。
【図８】図１のランプソケットを備えた本発明の第１の実施形態に係る照明器具を示す側面図。
【図９】（Ａ）は本発明の第２の実施形態に係るランプソケットの収納凹部にランプ口金の突起部が収納される前の状態におけるランプソケットとランプ口金との位置関係を示す正面図。（Ｂ）はランプソケットの収納凹部にランプ口金の突起部が収納される前の状態における回転体のリブと突起部の挿入溝との位置関係を示す断面図。
【図１０】（Ａ）は図９のランプソケットの収納凹部にランプ口金の突起部が収納された状態におけるランプソケットとランプ口金との位置関係を示す正面図。（Ｂ）は図９のランプソケットの収納凹部にランプ口金の突起部が収納された状態における回転体のリブと突起部の挿入溝との位置関係を示す断面図。
【図１１】（Ａ）は図９のランプソケットにランプ口金が装着された状態におけるランプソケットとランプ口金との位置関係を示す正面図。（Ｂ）は図９のランプソケットにランプ口金が装着された状態における回転体のリブと突起部の挿入溝との位置関係を示す断面図。
【図１２】（Ａ）は図９のランプソケットの収納凹部にランプ口金の突起部が収納された状態を示す断面図。（Ｂ）は図９のランプソケットにランプ口金が装着された状態を示す断面図。
【図１３】（Ａ）はＩＥＣ６００６１のＧＸ２４ｑ−１で規格化されたランプ口金の正面図。（Ｂ）は６００６１のＧＸ２４ｑ−２で規格化されたランプ口金の正面図。（Ｃ）は６００６１のＧＸ２４ｑ−３で規格化されたランプ口金の正面図。（Ｅ）は６００６１のＧＸ２４ｑ−４で規格化されたランプ口金の正面図。（Ｆ）は６００６１のＧＸ２４ｑ−５で規格化されたランプ口金の正面図。（Ｇ）は６００６１のＧＸ２４ｑ−７で規格化されたランプ口金の正面図。
【符号の説明】
１…照明器具、  ２…器具本体、  １０…蛍光ランプ、  １３…ランプ口金、１５…突起部、  １５ａ…先端面、  １９…挿入溝、３０ａ，３０ｂ…ランプソケット、  ３１…ソケット本体、  ３４…回転体  ３５…コイルばね、３９…収納凹部、  ５１…ベース、  ５４…リブ、  ５５…固定係合部、  ５６…可動係合部
【図１】
2004172065.tif 000003
【図２】
2004172065.tif 000004
【図３】
2004172065.tif 000005
【図４】
2004172065.tif 000006
【図５】
2004172065.tif 000007
【図６】
2004172065.tif 000008
【図７】
2004172065.tif 000009
【図８】
2004172065.tif 000010
【図９】
2004172065.tif 000011
【図１０】
2004172065.tif 000012
【図１１】
2004172065.tif 000013
【図１２】
2004172065.tif 000014
【図１３】
2004172065.tif 000015